(57)【要約】【課題】  通話中に薄型筐体を耳から遠ざけることなく、受話音の音量を調整することができる携帯電話機を提供する。【解決手段】  オフフック操作を検出するオフフック検出部１０１と、オフフック操作後のタッチパネル１１の出力に基づいて、当該タッチパネル１１上の顔接触領域２２を判定する顔領域判定部１０２と、顔接触領域２２の判定後のタッチパネル１１の出力に基づいて、連続領域からなる接触領域２４を判定する接触領域判定部１０４と、接触領域２４が顔接触領域２２と重複しているか否かを判別する重複判別部１０５と、重複判別部１０５により顔接触領域２２と重複していないと判別された接触領域２４に基づいて、受話音の音量調整を行う受話音量調整部１０６により構成される。【選択図】  図７
2014045382.tif 000002
【特許請求の範囲】
【請求項１】
タッチパネル及び受話音出力用のスピーカが薄型筐体の前面に設けられた携帯電話機において、
オフフック操作を検出するオフフック検出手段と、
上記オフフック操作後の上記タッチパネルの出力に基づいて、当該タッチパネル上の顔接触領域を判定する顔領域判定手段と、
上記顔接触領域の判定後の上記タッチパネルの出力に基づいて、連続領域からなる接触領域を判定する接触領域判定手段と、
上記接触領域が上記顔接触領域と重複しているか否かを判別する重複判別手段と、
上記重複判別手段により上記顔接触領域と重複していないと判別された上記接触領域に基づいて、受話音の音量調整を行う受話音量調整手段とを備えたことを特徴とする携帯電話機。
【請求項２】
上記重複判別手段により上記顔接触領域と重複していると判別された上記接触領域によって上記顔接触領域を更新する顔領域更新手段を備えたことを特徴とする請求項１に記載の携帯電話機。
【請求項３】
上記顔接触領域の判定後に、上記タッチパネルの動作モードを、接触位置の分解能が通常モードよりも低い省電力モードへ切り替えるタッチパネルモード切替手段を備え、
上記受話音量調整手段は、上記省電力モードへの切替後に判定された上記接触領域に基づいて、上記受話音の音量調整を行うことを特徴とする請求項１又は２に記載の携帯電話機。
【請求項４】
上記受話音量調整手段は、上記接触領域の面積に基づいて、上記受話音の音量調整を行うことを特徴とする請求項１〜３のいずれかに記載の携帯電話機。
【請求項５】
上記受話音量調整手段は、上記接触領域として判定された１又は２以上の連続領域の面積が第１閾値以上である場合に、上記受話音の音量を上げる音量調整を行い、上記１又は２以上の連続領域の面積が第１閾値よりも小さい第２閾値以下である場合に、上記受話音の音量を下げる音量調整を行い、上記１又は２以上の連続領域の面積が第２閾値よりも大きく、かつ、第１閾値未満である場合に、上記受話音の音量レベルをそのまま維持することを特徴とする請求項４に記載の携帯電話機。
【請求項６】
ユーザの顔が上記タッチパネルに近づいたことを検出する近接センサを備え、
上記顔領域判定手段は、上記近接センサにより顔の接近が検出された際の接触領域を上記顔接触領域と判定することを特徴とする請求項１〜５のいずれかに記載の携帯電話機。
【発明の詳細な説明】
【技術分野】
【０００１】
本発明は、携帯電話機に係り、さらに詳しくは、タッチパネル及び受話音出力用のスピーカが薄型筐体の前面に設けられた携帯電話機の改良に関する。
【背景技術】
【０００２】
従来の携帯電話機には、音量調整のための押下式の操作キー又は圧力センサを備えたものがある。この様な携帯電話機では、上記操作キーや圧力センサを操作することにより、通話中に受話音の音量を調整することができる。しかし、操作キーや圧力センサが受話用のスピーカと同じ端末筐体の前面に配置されている場合、通話中は、端末筐体の前面に耳が押し当てられることから、操作キーや圧力センサが操作しづらい。このため、操作キーや圧力センサの操作によって受話音の音量を調整するには、端末筐体を耳から遠ざけなければならず、通話が中断してしまうという問題があった。また、操作キーや圧力センサが端末筐体の側面に配置されている場合には、製造コストが増大してしまうという問題があった。
【０００３】
最近では、タッチパネルに対するタッチ操作によって通話中に受話音の音量を調整することができる携帯電話機が提案されている（例えば、特許文献１）。特許文献１に記載の携帯電話機は、タッチパネル上に音量調整用のソフトキーを表示し、このソフトキーに対するタッチ操作に基づいて、受話音の音量調整を行う。この様な携帯電話機によれば、音量調整のために、押下式の操作キーや圧力センサを設けなくても、受話音の音量調整を行うことができる。しかしながら、タッチパネル上のソフトキーに対しタッチ操作を行う必要があることから、タッチ操作によって受話音の音量調整を行うには、端末筐体を耳から遠ざけなければならず、通話が中断するのは避けられなかった。
【先行技術文献】
【特許文献】
【０００４】
【特許文献１】特開２０１２−９５２８６号公報
【発明の概要】
【発明が解決しようとする課題】
【０００５】
本発明は、上記事情に鑑みてなされたものであり、通話中に薄型筐体を耳から遠ざけることなく、受話音の音量を調整することができる携帯電話機を提供することを目的とする。特に、タッチパネルに対するタッチ動作によって、受話音の音量を調整することができる携帯電話機を提供することを目的とする。また、通話中に顔の一部がタッチパネルに接触することにより、受話音の音量が誤って調整されるのを防止することができる携帯電話機を提供することを目的とする。
【０００６】
また、本発明は、通話中における消費電力の増大を抑制しつつ、薄型筐体を耳から遠ざけることなく、受話音の音量を調整することができる携帯電話機を提供することを目的とする。
【課題を解決するための手段】
【０００７】
第１の本発明による携帯電話機は、タッチパネル及び受話音出力用のスピーカが薄型筐体の前面に設けられた携帯電話機であって、オフフック操作を検出するオフフック検出手段と、上記オフフック操作後の上記タッチパネルの出力に基づいて、当該タッチパネル上の顔接触領域を判定する顔領域判定手段と、上記顔接触領域の判定後の上記タッチパネルの出力に基づいて、連続領域からなる接触領域を判定する接触領域判定手段と、上記接触領域が上記顔接触領域と重複しているか否かを判別する重複判別手段と、上記重複判別手段により上記顔接触領域と重複していないと判別された上記接触領域に基づいて、受話音の音量調整を行う受話音量調整手段とを備えて構成される。
【０００８】
この携帯電話機では、タッチパネルと受話音出力用のスピーカとが薄型筐体の同じ面に設けられているので、受話時に耳をスピーカに近づければ、顔の一部がタッチパネルに接触することになる。タッチパネル上の顔接触領域は、オフフック操作後のタッチパネルの出力によって判定することができる。そこで、顔接触領域の判定後に連続領域からなる接触領域が判定されれば、顔接触領域と重複しているか否かを判別し、顔接触領域と重複していないと判別された接触領域を利用して受話音の音量調整が行われる。
【０００９】
この様な構成によれば、顔と接触していないタッチパネル上の部位に指でタッチすることにより、上記接触領域を形成することができ、通話中に薄型筐体を耳から遠ざけることなく、受話音の音量を調整することができる。特に、タッチパネルに対するタッチ動作によって、受話音の音量を調整することができる。また、接触領域が顔接触領域と重複しているか否かを判別して受話音の音量調整を行うので、通話中に顔の一部がタッチパネルに接触することにより、受話音の音量が誤って調整されるのを防止することができる。
【００１０】
第２の本発明による携帯電話機は、上記構成に加え、上記重複判別手段により上記顔接触領域と重複していると判別された上記接触領域によって上記顔接触領域を更新する顔領域更新手段を備えて構成される。
【００１１】
この様な構成によれば、顔接触領域の判定後に、顔とタッチパネルとの接触状態が変化した場合であっても、顔接触領域が正しく識別されるので、受話音量の誤調整を効果的に防止することができる。
【００１２】
第３の本発明による携帯電話機は、上記構成に加え、上記顔接触領域の判定後に、上記タッチパネルの動作モードを、接触位置の分解能が通常モードよりも低い省電力モードへ切り替えるタッチパネルモード切替手段を備え、上記受話音量調整手段が、上記省電力モードへの切替後に判定された上記接触領域に基づいて、上記受話音の音量調整を行うように構成される。
【００１３】
この様な構成によれば、通常モードに比べ、接触位置の分解能を低くすることによって消費電力を低減させた省電力モードへタッチパネルの動作モードが切り替えられるので、通話中における消費電力の増大を抑制しつつ、薄型筐体を耳から遠ざけることなく、受話音の音量を調整することができる。また、連続領域からなる接触領域が顔接触領域と重複しているか否かに応じて音量調整を行うので、接触位置の分解能の低い動作モードであっても、受話音の音量調整を適切に行うことができる。
【００１４】
第４の本発明による携帯電話機は、上記構成に加え、上記受話音量調整手段が、上記接触領域の面積に基づいて、上記受話音の音量調整を行うように構成される。この様な構成によれば、１又は２以上の指でタッチパネルにタッチするといった簡便な方法により、受話音の音量を調整することができる。
【００１５】
第５の本発明による携帯電話機は、上記構成に加え、上記受話音量調整手段が、上記接触領域として判定された１又は２以上の連続領域の面積が第１閾値以上である場合に、上記受話音の音量を上げる音量調整を行い、上記１又は２以上の連続領域の面積が第１閾値よりも小さい第２閾値以下である場合に、上記受話音の音量を下げる音量調整を行い、上記１又は２以上の連続領域の面積が第２閾値よりも大きく、かつ、第１閾値未満である場合に、上記受話音の音量レベルをそのまま維持するように構成される。
【００１６】
この様な構成によれば、１又は２以上の指でタッチパネルにタッチするといった簡便な方法により、受話音の音量を上げたり、或いは、受話音の音量を下げることができる。また、顔接触領域と重複していないと判別された接触領域の面積に関し、現在の音量レベルがそのまま維持される音量調整の不感帯を設けることにより、誤タッチによる受話音量の誤調整を防止することができる。
【００１７】
第６の本発明による携帯電話機は、上記構成に加え、ユーザの顔が上記タッチパネルに近づいたことを検出する近接センサを備え、上記顔接触領域判定手段が、上記近接センサにより顔の接近が検出された際の接触領域を上記顔接触領域と判定するように構成される。この様な構成によれば、ユーザの顔とタッチパネルとの接触領域を正しく判定することができる。
【発明の効果】
【００１８】
本発明による携帯電話機では、通話中に薄型筐体を耳から遠ざけることなく、受話音の音量を調整することができる。特に、タッチパネルに対するタッチ動作によって、受話音の音量を調整することができる。また、接触領域が顔接触領域と重複しているか否かを判別して受話音の音量調整を行うので、通話中に顔の一部がタッチパネルに接触することにより、受話音の音量が誤って調整されるのを防止することができる。
【００１９】
また、本発明による携帯電話機では、通常モードに比べ、接触位置の分解能を低くすることによって消費電力を低減させた省電力モードへタッチパネルの動作モードが切り替えられるので、通話中における消費電力の増大を抑制しつつ、受話音の音量を調整することができる。
【図面の簡単な説明】
【００２０】
【図１】本発明の実施の形態による携帯電話機１の一構成例を示した斜視図である。
【図２】図１の携帯電話機１の使用態様の一例を模式的に示した説明図であり、受話時の様子が示されている。
【図３】図１の携帯電話機１における通話時の動作の一例を示した図であり、タッチパネル１１上の顔接触領域２２が示されている。
【図４】図１の携帯電話機１における通話時の動作の一例を示した図であり、顔接触領域２２の判定後に判定された接触領域２３，２４が示されている。
【図５】図１の携帯電話機１における通話時の動作の一例を示した図であり、受話音の音量を調整するための指４によるタッチ動作の様子が示されている。
【図６】図１の携帯電話機１内の機能構成の一例を示したブロック図である。
【図７】図６のＣＰＵ３０の構成例を示したブロック図である。
【図８】図６の携帯電話機１における通話時の動作の一例を示したフローチャートである。
【発明を実施するための形態】
【００２１】
＜携帯電話機１＞
図１は、本発明の実施の形態による携帯電話機１の一構成例を示した斜視図であり、タッチパネル１１及び受話音出力用のスピーカ１２が薄型筐体１０の前面に設けられた携帯電話機１が示されている。この携帯電話機１は、片方の手で保持することができる程度のサイズからなる端末装置であり、薄型筐体１０、タッチパネル１１、受話音出力用のスピーカ１２、近接センサ１３、送話音入力用のマイクロホン１４及び操作キー１５ａ〜１５ｃにより構成される。
【００２２】
薄型筐体１０は、薄型で縦長の直方体形状からなる端末筐体である。タッチパネル１１、スピーカ１２、近接センサ１３、マイクロホン１４及び操作キー１５ａ〜１５ｃは、薄型筐体１０の同一主面上に配置されている。スピーカ１２は、受話音を出力するための音声出力装置である。マイクロホン１４は、送話音を入力するための音声入力装置である。
【００２３】
タッチパネル１１は、矩形形状の表示画面を有するタッチパネルディスプレイと、表示画面に対するタッチ操作を検出するタッチパネルセンサにより構成される。例えば、タッチパネルディスプレイには、ＬＣＤ（液晶ディスプレイ）が用いられ、タッチパネルセンサには、静電容量方式で多点検出可能な面状検出素子が用いられる。
【００２４】
近接センサ１３は、ユーザの顔がタッチパネル１１に近づいたことを検出するための顔検出手段である。例えば、近接センサ１３には、顔が近づいた際の静電容量の変化を検知する静電容量方式のセンサが用いられる。
【００２５】
操作キー１５ａ〜１５ｃは、各種機能が予め割り当てられ、ユーザの押下操作により、割り当てられている機能を実行するための物理キーである。例えば、操作キー１５ａは、前の画面に戻るためのリターンキーである。また、操作キー１５ｂは、ホーム画面を表示するためのホームキーである。また、操作キー１５ｃは、メニュー画面を表示するためのメニューキーである。
【００２６】
スピーカ１２及び近接センサ１３は、タッチパネル１１と薄型筐体１０の上端との間に配置され、マイクロホン１４及び操作キー１５ａ〜１５ｃは、タッチパネル１１と薄型筐体１０の下端との間に配置されている。つまり、スピーカ１２とマイクロホン１４とはタッチパネル１１を挟んで互いに反対側に配置されている。
【００２７】
この携帯電話機１では、通話中に薄型筐体１０を耳から遠ざけることなく、受話音の音量を調整することができる。特に、指でタッチパネル１１にタッチするといった簡便なタッチ動作によって、受話音の音量を調整することができる。
【００２８】
図２は、図１の携帯電話機１の使用態様の一例を模式的に示した説明図であり、受話時の様子が示されている。受話時には、携帯電話機１を片方の手３で保持したまま、当該携帯電話機１のスピーカ１２に耳２ａが押し当てられる。このとき、タッチパネル１１とスピーカ１２とが薄型筐体１０の同じ面に設けられているので、ユーザの顔２の一部がタッチパネル１１に接触することになる。例えば、耳２ａ、顎、頬がタッチパネル１１に当接する。
【００２９】
一方、マイクロホン１４は、薄型筐体１０の長手方向に関しスピーカ１２とは反対側に配置されていることから、口２ｂの位置に近く、マイクロホン１４の近傍のタッチパネル１１上の部位には、顔２と接触していない領域が存在することになる。この様な顔２と接触していないタッチパネル１１上の部位に指でタッチすることにより、通話中における受話音の音量調整が行われる。
【００３０】
＜顔接触領域２２＞
図３は、図１の携帯電話機１における通話時の動作の一例を示した図であり、タッチパネル１１上の顔接触領域２２が示されている。顔接触領域２２は、顔２とタッチパネル１１との接触領域であり、オフフック操作後のタッチパネル１１の出力に基づいて判定される。
【００３１】
オフフック操作は、宛先を指定して発信する場合の発信操作や、着信時の応答操作であり、タッチパネル１１に対する所定のタッチ操作からなる。顔接触領域２２は、１つの連続領域からなる。例えば、近接センサ１３により顔２の接近が検出された際の接触領域が顔接触領域２２として判定される。
【００３２】
この携帯電話機１では、近接センサ１３による検出結果に基づいて、タッチパネル１１の動作モードが通常モード及び省電力モード間で切り替えられる。省電力モードは、接触位置の分解能や接触時間の分解能を低くすることによって、通常モードよりも消費電力を低減させた動作モードである。タッチパネル１１の動作モードを省電力モードとすることにより、電力の消費を抑えるとともに、ノイズを低減させたり、受話音量の誤調整を抑制することができる。
【００３３】
例えば、通常モードでは、接触位置の分解能がタッチパネルディスプレイの画面解像度と同程度であり、スキャンドライビング速度が６０Ｈｚ程度である。これに対し、省電力モードでは、接触位置の分解能が指のサイズ程度、例えば、５ｍｍ角程度であり、スキャンドライビング速度は５Ｈｚ程度である。
【００３４】
省電力モードでは、タッチパネルセンサの検出面が通常モード時よりも粗い多数の検出エリア２１に分割され、検出エリア２１単位で接触位置が検出される。顔接触領域２２は、隣接する２以上の検出エリア２１からなる連続領域である。この例では、矩形形状の検出エリア２１が６行１３列のマトリクス状に配置されている。
【００３５】
＜接触領域２３，２４＞
図４は、図１の携帯電話機１における通話時の動作の一例を示した図であり、顔接触領域２２の判定後に判定された接触領域２３，２４が示されている。図中の（ａ）には、顔接触領域２２と重複している接触領域２３が示され、（ｂ）には、顔接触領域２２と重複していない接触領域２４が示されている。
【００３６】
接触領域２３及び２４は、いずれも連続領域からなり、顔接触領域２２の判定後のタッチパネル１１の出力に基づいて判定される。接触領域２３は、その一部が顔接触領域２２と重複している。この様な接触領域２３は、顔接触領域２２の判定後に、顔２とタッチパネル１１との接触状態が変化することによって形成される。そこで、接触領域２３を新たな顔接触領域と判断し、当該接触領域２３によって顔接触領域２２が更新される。
【００３７】
一方、接触領域２４は、顔接触領域２２と重複しておらず、顔接触領域２２から孤立した領域である。この様な接触領域２４は、顔２と接触していないタッチパネル１１上の部位に指でタッチすることによって形成される。そこで、接触領域２４が判定されれば、音量調整のためのタッチ操作が行われたと判断し、当該接触領域２４に基づいて、受話音の音量調整が行われる。
【００３８】
図５は、図１の携帯電話機１における通話時の動作の一例を示した図であり、受話音の音量を調整するための指４によるタッチ動作の様子が示されている。図中の（ａ）には、２本の指４でタッチパネル１１にタッチした場合が示され、（ｂ）には、１本の指４でタッチパネル１１にタッチした場合が示されている。
【００３９】
耳２ａをスピーカ１２に押し当てた状態での受話音の音量調整は、顔２と接触していないタッチパネル１１上の部位に指でタッチすることによって形成される接触領域２４ａ〜２４ｃの面積に基づいて行われる。
【００４０】
接触領域２４ａ及び２４ｂは、２本の指４でタッチパネル１１にタッチすることによってそれぞれ形成される。接触領域２４ａ，２４ｂの面積は、指４の接触によって選択される検出エリア２１の数により表され、いずれも２個である。一方、接触領域２４ｃは、１本の指４でタッチパネル１１にタッチすることによって形成され、接触領域２４ｃの面積は、２個である。
【００４１】
具体的には、接触領域２４として判定された１又は２以上の連続領域の面積が判定閾値Ｔｈ１以上である場合に、受話音の音量を上げる音量調整が行われる。一方、接触領域２４として判定された１又は２以上の連続領域の面積が判定閾値Ｔｈ１よりも小さい判定閾値Ｔｈ２以下である場合に、受話音の音量を下げる音量調整が行われる。接触領域２４として判定された１又は２以上の連続領域の面積が判定閾値Ｔｈ２よりも大きく、かつ、判定閾値Ｔｈ１未満である場合には、受話音の音量レベルがそのまま維持される。
【００４２】
そこで、例えば、判定閾値Ｔｈ１＝４、判定閾値Ｔｈ２＝２と予め定めることにより、図中の（ａ）の場合には、接触領域２４ａ，２４ｂを合わせた面積が４個であることから、受話音の音量を上げる音量調整が行われることになる。これに対し、図中の（ｂ）の場合には、接触領域２４ｃの面積が２個であることから、受話音の音量を下げる音量調整が行われることになる。
【００４３】
図６は、図１の携帯電話機１内の機能構成の一例を示したブロック図である。この携帯電話機１は、タッチパネルセンサ１１ａ、タッチパネルディスプレイ１１ｂ、スピーカ１２、近接センサ１３、マイクロホン１４、ＣＰＵ３０、セルラー通信部３１、音声処理部３２、表示制御部３３及びメモリ３４により構成される。
【００４４】
タッチパネル１１は、タッチパネルセンサ１１ａ及びタッチパネルディスプレイ１１ｂにより構成される。タッチパネルセンサ１１ａは、表示画面に対するタッチ操作を検出する操作検出部であり、検出信号をＣＰＵ３０へ出力する。タッチパネルディスプレイ１１ｂは、表示画面を有する表示部である。
【００４５】
ＣＰＵ３０は、各デバイスを制御する主制御部である。セルラー通信部３１は、基地局と通信し、移動体通信網を介して他の通信端末と通話や電子メールの送受信を行う無線部である。音声処理部３２は、音声信号の入出力処理を行い、ＣＰＵ３０から入力された受話音声を処理してスピーカ１２へ出力し、また、マイクロホン１４が集音した送話音声を処理してＣＰＵ３０へ入力する。
【００４６】
表示制御部３３は、タッチパネルディスプレイ１１ｂを制御し、ホーム画面やメニュー画面を表示する。メモリ３４には、ＣＰＵ３０の制御プログラムや受信データ等が保持される。
【００４７】
＜ＣＰＵ３０＞
図７は、図６のＣＰＵ３０の構成例を示したブロック図である。このＣＰＵ３０は、オフフック検出部１０１、顔領域判定部１０２、領域情報記憶部１０３、接触領域判定部１０４、重複判別部１０５、受話音量調整部１０６、顔領域更新部１０７及びタッチパネルモード切替部１０８により構成される。
【００４８】
オフフック検出部１０１は、タッチパネルセンサ１１ａの検出信号に基づいて、オフフック操作を検出し、セルラー通信部３１を制御するための通信制御信号を生成する。顔領域判定部１０２は、オフフック操作後のタッチパネルセンサ１１ａの検出信号に基づいて、顔接触領域２２を判定する。具体的には、近接センサ１３により顔の接近が検出された際の接触領域が顔接触領域２２と判定される。領域情報記憶部１０３には、顔接触領域２２の位置を示す領域情報が保持される。
【００４９】
接触領域判定部１０４は、顔接触領域２２の判定後のタッチパネルセンサ１１ａの検出信号に基づいて、接触領域２４を判定する。例えば、接触領域２４として、１又は２以上の連続領域が一定時間ごとに繰り返し判定される。重複判別部１０５は、接触領域２４が顔接触領域２２と重複しているか否かを判別し、その判別結果を受話音量調整部１０６及び顔領域更新部１０７へ出力する。
【００５０】
受話音量調整部１０６は、重複判別部１０５により顔接触領域２２と重複していないと判別された接触領域２４に基づいて、受話音の音量調整を行うための音量制御信号を生成し、音声処理部３２へ出力する。具体的には、接触領域２４として判定された１又は２以上の連続領域の面積が判定閾値Ｔｈ１以上である場合に、受話音の音量を上げる音量調整が行われる。
【００５１】
また、接触領域２４として判定された１又は２以上の連続領域の面積が判定閾値Ｔｈ２以下である場合に、受話音の音量を下げる音量調整が行われる。また、接触領域２４として判定された１又は２以上の連続領域の面積が判定閾値Ｔｈ２よりも大きく、かつ、判定閾値Ｔｈ１未満である場合には、受話音の音量レベルがそのまま維持される。
【００５２】
顔領域更新部１０７は、重複判別部１０５により顔接触領域２２と重複していると判別された接触領域２４によって顔接触領域２２を更新すべく、領域情報記憶部１０３内の領域情報を書き換える。
【００５３】
タッチパネルモード切替部１０８は、近接センサ１３の検出信号に基づいて、タッチパネル１１の動作モードを通常モード及び省電力モード間で切り替えるためのタッチパネル制御信号を生成する。
【００５４】
具体的には、近接センサ１３により顔２の接近が検出され、顔接触領域２２が判定された後に、タッチパネル１１の動作モードが通常モードから省電力モードへ切り替えられる。また、近接センサ１３により顔２がタッチパネル１１から遠ざかったことが検出されれば、動作モードは、省電力モードから通常モードへ切り替えられる。
【００５５】
省電力モードでは、接触位置の低分解能化及びスキャンドライビング速度の低速化と共に、画面表示をオフさせる動作が行われる。画面表示のオフ動作は、表示出力を停止し、或いは、バックライトを消灯させることにより行われる。受話音量調整部１０６では、省電力モードへの切替後に判定された接触領域２４に基づいて、受話音の音量調整が行われる。
【００５６】
図８のステップＳ１０１〜Ｓ１１１は、図６の携帯電話機１における通話時の動作の一例を示したフローチャートである。まず、近接センサ１３が顔２の接近を検出すれば（ステップＳ１０１）、顔領域判定部１０２は、タッチパネルセンサ１１ａの検出信号に基づいて、顔接触領域２２を判定する（ステップＳ１０２）。タッチパネルモード切替部１０８は、顔接触領域２２の判定後、タッチパネル１１の動作モードを省電力モードへ切り替える（ステップＳ１０３）。
【００５７】
次に、接触領域判定部１０４は、省電力モードへの移行後、顔２が検出されている状態が維持され、近接センサ１３により顔２がタッチパネル１１から遠ざかったことが検出されなければ、タッチパネルセンサ１１ａの検出信号に基づいて、接触領域２４を判定する（ステップＳ１０４，Ｓ１０５）。
【００５８】
受話音量調整部１０６は、接触領域２４が顔接触領域２２と重複していなければ、当該接触領域２４の面積を算出し、その面積に応じて受話音の音量調整を行い、ステップＳ１０４の処理手順へ移行する（ステップＳ１０６〜Ｓ１０８）。一方、顔領域更新部１０７は、接触領域２４が顔接触領域２２と重複していれば、当該接触領域２４によって顔接触領域２２を更新し、ステップＳ１０４の処理手順へ移行する（ステップＳ１０６，Ｓ１０９）。
【００５９】
タッチパネルモード切替部１０８は、省電力モードへの移行後、近接センサ１３により顔２がタッチパネル１１から遠ざかったことが検出されれば、動作モードを通常モードへ切り替える（ステップＳ１０４，Ｓ１１０）。ステップＳ１０１以降の処理手順は、通話終了が指示されるまで繰り返され、通話終了が指示されれば、この処理は終了する（ステップＳ１１１）。
【００６０】
本実施の形態によれば、顔２と接触していないタッチパネル１１上の部位に指４でタッチすることにより、接触領域２４を形成することができ、通話中に薄型筐体１０を耳２ａから遠ざけることなく、受話音の音量を調整することができる。特に、タッチパネル１１に対するタッチ動作によって、受話音の音量を調整することができる。また、接触領域２４が顔接触領域２２と重複しているか否かを判別して受話音の音量調整を行うので、通話中に顔２の一部がタッチパネル１１に接触することにより、受話音の音量が誤って調整されるのを防止することができる。
【００６１】
また、顔接触領域２２の判定後に、顔２とタッチパネル１１との接触状態が変化した場合であっても、顔接触領域２２が正しく識別されるので、受話音量の誤調整を効果的に防止することができる。
【００６２】
また、通常モードに比べ、接触位置の分解能及び接触時間の分解能を低くすることによって消費電力を低減させた省電力モードへタッチパネル１１の動作モードが切り替えられるので、通話中における消費電力の増大を抑制しつつ、薄型筐体１０を耳２ａから遠ざけることなく、受話音の音量を調整することができる。さらに、連続領域からなる接触領域２４が顔接触領域２２と重複しているか否かに応じて音量調整を行うので、接触位置の分解能又は接触時間の分解能の低い動作モードであっても、受話音の音量調整を適切に行うことができる。
【００６３】
なお、本実施の形態では、近接センサ１３により顔の接近が検出された際の接触領域を顔接触領域２２と判定する場合の例について説明したが、本発明は顔接触領域２２の判定方法をこれに限定するものではない。すなわち、オフフック操作が検出されたとき、或いは、通話が確立したときから一定時間が経過するまでに検出された接触領域に基づいて、顔接触領域２２を判定するような構成のものも本発明には含まれる。例えば、面積が一定値を越える接触領域を顔接触領域２２と判定しても良い。
【００６４】
また、本実施の形態では、近接センサ１３を用いて顔２の接近を検知する場合の例について説明したが、本発明は、顔２の接近を検知する方法をこれに限定するものではない。例えば、近接センサ１３を設けずに、タッチパネル１１上の特定の領域における検出結果に基づいて、ユーザの顔２がタッチパネル１１に近づいたか否かを判別するような構成であっても良い。
【００６５】
また、本実施の形態では、近接センサ１３の検出信号に基づいて、タッチパネル１１の動作モードを通常モード及び省電力モード間で切り替える場合の例について説明したが、本発明は、オフフック操作の後、顔２の接近が検出されるか否かにかかわらず、通常モードを維持するような構成のものにも適用することができる。
【００６６】
また、本実施の形態では、顔接触領域２２と重複していない接触領域２４の面積に応じて、受話音の音量調整を行う場合の例について説明したが、本発明は顔接触領域２２と重複していない接触領域２４の形状によって、受話音の音量調整を行うような構成のものも含む。例えば、接触領域２４が縦長又は横長の長方形形状であれば、受話音の音量を上げ、接触領域２４が正方形形状であれば、受話音の音量を下げるような構成であっても良い。
【００６７】
また、本実施の形態では、タッチパネル１１に対するタッチ動作によって、通話中に薄型筐体１０を耳２ａから遠ざけることなく、受話音の音量調整を行う場合の例について説明した。しかし、本発明は、タッチパネル１１に対するタッチ動作によって、薄型筐体１０のスピーカ１２を耳２ａから遠ざけることなく、通話中における各種機能を実行するような構成のものにも適用することができる。例えば、タッチパネル１１に対するタッチ動作により、通話を終了させるためのオンフック機能を実行するような構成のものにも本発明は適用することができる。
【符号の説明】
【００６８】
１  携帯電話機
１０  薄型筐体
１１  タッチパネル
１２  受話音出力用のスピーカ
１３  近接センサ
１４  送話音入力用のマイクロホン
２１  検出エリア
２２  顔接触領域
２３，２４，２４ａ〜２４ｃ  接触領域
３０  ＣＰＵ
３１  セルラー通信部
３２  音声処理部
１０１  オフフック検出部
１０２  顔領域判定部
１０３  領域情報記憶部
１０４  接触領域判定部
１０５  重複判別部
１０６  受話音量調整部
１０７  顔領域更新部
１０８  タッチパネルモード切替部
２  顔
２ａ  耳
３  手
４  指
【図１】
2014045382.tif 000003
【図２】
2014045382.tif 000004
【図３】
2014045382.tif 000005
【図４】
2014045382.tif 000006
【図５】
2014045382.tif 000007
【図６】
2014045382.tif 000008
【図７】
2014045382.tif 000009
【図８】
2014045382.tif 000010